(57)【要約】【課題】マナーモードの設定の開始及び停止機能を有効に活用することができる携帯端末を提供すること。【解決手段】モード設定部５３により指定された時刻が到来したときに、通常モードからマナーモードに切り替えるように設定がされている場合において、計時部５２により計測されている時刻に基づいて、指定された時刻が到来した場合、判別部５４は、待受状態の制御を行うアプリケーションのみが実行されているか否かを判別する。制御部５１は、判別部５４により待受状態の制御を行うアプリケーションのみが実行されていると判別された場合、通常モードからマナーモードに切り替えるように制御し、判別部５４により待受状態の制御を行うアプリケーションのみの実行ではないと判別された場合、通常モードからマナーモードへの切り替えを行わないように制御する。【選択図】図３
2010109616.tif 000002
【特許請求の範囲】
【請求項１】
待受状態の制御を含む複数のアプリケーションの実行を制御する制御手段と、
時刻を計測する計時手段と、
前記計時手段により計測される時刻に基づいて、指定された時刻が到来したときに、着信を通知する際のモードを通常モードからマナーモードに切り替え設定可能なモード設定手段と、
前記待受状態の制御を行うアプリケーションのみが実行されているか否かを判別する判別手段と、を備え、
前記モード設定手段により指定された時刻が到来したときに、前記通常モードから前記マナーモードに切り替えるように設定がされている場合において、
前記計時手段により計測されている時刻に基づいて、指定された時刻が到来した場合、前記判別手段は、待受状態の制御を行うアプリケーションのみが実行されているか否かを判別し、
前記制御手段は、前記判別手段により前記待受状態の制御を行うアプリケーションのみが実行されていると判別された場合、前記通常モードから前記マナーモードに切り替えるように制御し、前記判別手段により前記待受状態の制御を行うアプリケーションのみの実行ではないと判別された場合、前記通常モードから前記マナーモードへの切り替えを行わないように制御することを特徴とする携帯端末。
【請求項２】
前記判別手段は、前記待受状態の制御を行う以外のアプリケーションが実行され、当該アプリケーションを終了させずに常駐させてある状態の場合には、前記待受状態の制御を行うアプリケーションのみの実行ではないと判別することを特徴とする請求項１記載の携帯端末。
【請求項３】
前記制御手段は、前記判別手段により前記待受状態の制御を行うアプリケーションのみの実行ではないと判別された場合、前記通常モードから前記マナーモードへの切り替えを行わず、当該切り替え動作を保留になるように制御することを特徴とする請求項１又は２に記載の携帯端末。
【請求項４】
前記制御手段は、当該切り替え動作を保留にする制御を前記待受状態の制御を行う以外のアプリケーションの実行が終了するまで継続させることを特徴とする請求項３記載の携帯端末。
【請求項５】
前記制御手段は、当該切り替え動作を保留にする制御を行っているときに、前記判別手段により前記待受状態の制御を行う以外のアプリケーションの実行が終了し、前記待受状態の制御を行うアプリケーションのみが実行されていると判別された場合、前記通常モードから前記マナーモードに切り替えるように制御することを特徴とする請求項３記載の携帯端末。
【請求項６】
前記通常モードから前記マナーモードに切り替えるモード切替手段を備え、
前記制御手段は、当該切り替え動作を保留にする制御を行っているときに、前記判別手段により前記待受状態の制御を行う以外のアプリケーションの実行が終了し、前記待受状態の制御を行うアプリケーションのみが実行されていると判別され、前記モード切替手段により前記通常モードから前記マナーモードに切り替えられた場合、当該保留にする制御を解除し、前記モード設定手段による設定を無効にすることを特徴とする請求項３記載の携帯端末。
【請求項７】
待受状態の制御を含む複数のアプリケーションの実行を制御する制御手段と、
時刻を計測する計時手段と、
前記計時手段により計測される時刻に基づいて、指定された時刻が到来したときに、着信を通知する際のモードを通常モードからマナーモードに切り替え設定可能なモード設定手段と、
前記通常モードからマナーモードに切り替えた場合に、その前後でアプリケーションの実行内容に変更が生じるような当該アプリケーションが実行されているか否かを判別する判別手段と、を備え、
前記モード設定手段により指定された時刻が到来したときに、前記通常モードから前記マナーモードに切り替えるように設定がされている場合において、
前記計時手段により計測されている時刻に基づいて、指定された時刻が到来した場合、
前記判別手段は、前記通常モードからマナーモードに切り替えた場合に、その前後でアプリケーションの実行内容に変更が生じるような当該アプリケーションが実行されているか否かを判別し、
前記制御手段は、前記判別手段により前記通常モードからマナーモードに切り替えた場合に、その前後でアプリケーションの実行内容に変更が生じるような当該アプリケーションが実行されていないと判別された場合、前記通常モードから前記マナーモードに切り替えるように制御し、前記判別手段により前記通常モードからマナーモードに切り替えた場合に、その前後でアプリケーションの実行内容に変更が生じるような当該アプリケーションが実行されていると判別された場合、前記通常モードから前記マナーモードへの切り替えを行わないように制御することを特徴とする携帯端末。
【請求項８】
通常モードからマナーモードに切り替えた場合に、その前後でアプリケーションの実行内容に変更が生じるような当該アプリケーションとは、音声出力に関する変更を伴うアプリケーションが含まれることを特徴とする請求項７に記載の携帯端末。
【請求項９】
前記制御手段は、前記判別手段により前記通常モードからマナーモードに切り替えた場合に、その前後でアプリケーションの実行内容に変更が生じるような当該アプリケーションが実行されていると判別された場合、前記通常モードから前記マナーモードへの切り替えを行わず、当該切り替え動作を保留になるように制御することを特徴とする請求項７又は８に記載の携帯端末。
【請求項１０】
前記制御手段は、当該切り替え動作を保留にする制御を、前記通常モードからマナーモードに切り替えた場合に、その前後でアプリケーションの実行内容に変更が生じるような当該アプリケーションの実行が終了するまで継続させることを特徴とする請求項９記載の携帯端末。
【請求項１１】
前記制御手段は、当該切り替え動作を保留にする制御を行っているときに、前記判別手段により前記通常モードからマナーモードに切り替えた場合に、その前後でアプリケーションの実行内容に変更が生じるような当該アプリケーションの実行が終了したと判別された場合、前記通常モードから前記マナーモードに切り替えるように制御することを特徴とする請求項１０記載の携帯端末。
【請求項１２】
前記通常モードから前記マナーモードに切り替えるモード切替手段を備え、
前記制御手段は、当該切り替え動作を保留にする制御を行っているときに、前記判別手段により前記通常モードからマナーモードに切り替えた場合に、その前後でアプリケーションの実行内容に変更が生じるような当該アプリケーションの実行が終了したと判別され、前記モード切替手段により前記通常モードから前記マナーモードに切り替えられた場合、当該保留にする制御を解除し、前記モード設定手段による設定を無効にすることを特徴とする請求項９記載の携帯端末。
【発明の詳細な説明】
【技術分野】
【０００１】
本発明は、通常モードとマナーモードを切り替える機能を有する携帯端末に関する。
【背景技術】
【０００２】
携帯電話機には、着信の際に音等の出力を制限し、振動等によって着信を通知するモード（以下、マナーモードという。）が備えられている。ここで、使用者が手動によりマナーモードの開始及び停止を行う構成の場合には、マナーモードの開始忘れ及びマナーモードの停止忘れが発生することがあり得る。ここで、特許文献１によれば、日々の通勤電車に乗車している時間帯等の定期的な時刻にマナーモードを使用する場合に、使用者が意識することなく自動的にマナーモードの開始及び停止を行う技術が提案されている（例えば、特許文献１を参照。）。
【特許文献１】特開２００６−０５０２９３号公報
【発明の開示】
【発明が解決しようとする課題】
【０００３】
しかしながら、特許文献１に記載の技術では、使用者が予め設定した時刻に到達した場合、自動的にマナーモードの設定が行われるために、使用者が設定した時刻に携帯電話機を操作している場合であっても、予定通りに強制的にマナーモードが設定されてしまう。そうすると、例えば、使用者が携帯電話機において音楽を聴いている場合等に、予定通りに強制的にマナーモードが設定されてしまい、音の出力が停止する等の問題が生じる。
【０００４】
本発明は、使用者による操作状況等を考慮しつつ、マナーモードの設定の開始及び停止機能を有効に活用することができる携帯端末を提供することを目的とする。
【課題を解決するための手段】
【０００５】
本発明に係る携帯端末は、上記課題を解決するために、待受状態の制御を含む複数のアプリケーションの実行を制御する制御手段と、時刻を計測する計時手段と、前記計時手段により計測される時刻に基づいて、指定された時刻が到来したときに、着信を通知する際のモードを通常モードからマナーモードに切り替え設定可能なモード設定手段と、前記待受状態の制御を行うアプリケーションのみが実行されているか否かを判別する判別手段と、を備え、前記モード設定手段により指定された時刻が到来したときに、前記通常モードから前記マナーモードに切り替えるように設定がされている場合において、前記計時手段により計測されている時刻に基づいて、指定された時刻が到来した場合、前記判別手段は、待受状態の制御を行うアプリケーションのみが実行されているか否かを判別し、前記制御手段は、前記判別手段により前記待受状態の制御を行うアプリケーションのみが実行されていると判別された場合、前記通常モードから前記マナーモードに切り替えるように制御し、前記判別手段により前記待受状態の制御を行うアプリケーションのみの実行ではないと判別された場合、前記通常モードから前記マナーモードへの切り替えを行わないように制御することを特徴とする。
【０００６】
また、上記携帯端末では、前記判別手段は、前記待受状態の制御を行う以外のアプリケーションが実行され、当該アプリケーションを終了させずに常駐させてある状態の場合には、前記待受状態の制御を行うアプリケーションのみの実行ではないと判別することが好ましい。
【０００７】
また、上記携帯端末では、前記制御手段は、前記判別手段により前記待受状態の制御を行うアプリケーションのみの実行ではないと判別された場合、前記通常モードから前記マナーモードへの切り替えを行わず、当該切り替え動作を保留になるように制御することが好ましい。
【０００８】
また、上記携帯端末では、前記制御手段は、当該切り替え動作を保留にする制御を前記待受状態の制御を行う以外のアプリケーションの実行が終了するまで継続させることが好ましい。
【０００９】
また、上記携帯端末では、前記制御手段は、当該切り替え動作を保留にする制御を行っているときに、前記判別手段により前記待受状態の制御を行う以外のアプリケーションの実行が終了し、前記待受状態の制御を行うアプリケーションのみが実行されていると判別された場合、前記通常モードから前記マナーモードに切り替えるように制御することが好ましい。
【００１０】
また、上記携帯端末では、前記通常モードから前記マナーモードに切り替えるモード切替手段を備え、前記制御手段は、当該切り替え動作を保留にする制御を行っているときに、前記判別手段により前記待受状態の制御を行う以外のアプリケーションの実行が終了し、前記待受状態の制御を行うアプリケーションのみが実行されていると判別され、前記モード切替手段により前記通常モードから前記マナーモードに切り替えられた場合、当該保留にする制御を解除し、前記モード設定手段による設定を無効にすることが好ましい。
【００１１】
本発明に係る携帯端末は、上記課題を解決するために、待受状態の制御を含む複数のアプリケーションの実行を制御する制御手段と、時刻を計測する計時手段と、前記計時手段により計測される時刻に基づいて、指定された時刻が到来したときに、着信を通知する際のモードを通常モードからマナーモードに切り替え設定可能なモード設定手段と、前記通常モードからマナーモードに切り替えた場合に、その前後でアプリケーションの実行内容に変更が生じるような当該アプリケーションが実行されているか否かを判別する判別手段と、を備え、前記モード設定手段により指定された時刻が到来したときに、前記通常モードから前記マナーモードに切り替えるように設定がされている場合において、前記計時手段により計測されている時刻に基づいて、指定された時刻が到来した場合、前記判別手段は、前記通常モードからマナーモードに切り替えた場合に、その前後でアプリケーションの実行内容に変更が生じるような当該アプリケーションが実行されているか否かを判別し、前記制御手段は、前記判別手段により前記通常モードからマナーモードに切り替えた場合に、その前後でアプリケーションの実行内容に変更が生じるような当該アプリケーションが実行されていないと判別された場合、前記通常モードから前記マナーモードに切り替えるように制御し、前記判別手段により前記通常モードからマナーモードに切り替えた場合に、その前後でアプリケーションの実行内容に変更が生じるような当該アプリケーションが実行されていると判別された場合、前記通常モードから前記マナーモードへの切り替えを行わないように制御することを特徴とする。
【００１２】
また、上記携帯端末では、通常モードからマナーモードに切り替えた場合に、その前後でアプリケーションの実行内容に変更が生じるような当該アプリケーションとは、音声出力に関する変更を伴うアプリケーションが含まれることが好ましい。
【００１３】
また、上記携帯端末では、前記制御手段は、前記判別手段により前記通常モードからマナーモードに切り替えた場合に、その前後でアプリケーションの実行内容に変更が生じるような当該アプリケーションが実行されていると判別された場合、前記通常モードから前記マナーモードへの切り替えを行わず、当該切り替え動作を保留になるように制御することが好ましい。
【００１４】
また、上記携帯端末では、前記制御手段は、当該切り替え動作を保留にする制御を、前記通常モードからマナーモードに切り替えた場合に、その前後でアプリケーションの実行内容に変更が生じるような当該アプリケーションの実行が終了するまで継続させることが好ましい。
【００１５】
また、上記携帯端末では、前記制御手段は、当該切り替え動作を保留にする制御を行っているときに、前記判別手段により前記通常モードからマナーモードに切り替えた場合に、その前後でアプリケーションの実行内容に変更が生じるような当該アプリケーションの実行が終了したと判別された場合、前記通常モードから前記マナーモードに切り替えるように制御することが好ましい。
【００１６】
また、上記携帯端末では、前記通常モードから前記マナーモードに切り替えるモード切替手段を備え、前記制御手段は、当該切り替え動作を保留にする制御を行っているときに、前記判別手段により前記通常モードからマナーモードに切り替えた場合に、その前後でアプリケーションの実行内容に変更が生じるような当該アプリケーションの実行が終了したと判別され、前記モード切替手段により前記通常モードから前記マナーモードに切り替えられた場合、当該保留にする制御を解除し、前記モード設定手段による設定を無効にすることが好ましい。
【発明の効果】
【００１７】
本発明によれば、マナーモードの設定の開始及び停止を有効に活用することができる。
【発明を実施するための最良の形態】
【００１８】
＜第１の実施の形態＞
以下、本発明の第１の実施の形態について説明する。図１は、本発明に係る携帯端末の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００１９】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００２０】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００２１】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００２２】
また、図２は、携帯電話装置１を折畳んだ状態の斜視図を示している。操作部側筐体部２は、外平面部に、時計やメールの着信等が表示されるサブＬＣＤ表示部３０が備えられている。
【００２３】
また、図３は、携帯電話装置１の機能を示す機能ブロック図である。携帯電話装置１は、図３に示すように、操作部１１（キー操作部）と、マイク１２と、メインアンテナ４０と、ＲＦ回路部４１と、ＬＣＤ制御部４２と、音声処理部４３と、メモリ４４と、処理部４５と、が操作部側筐体部２に備えられ、ＬＣＤ表示部２１（表示部）と、スピーカ２２と、ドライバＩＣ２３と、サブＬＣＤ表示部３０とが表示部側筐体部３に備えられている。
【００２４】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２５】
ＲＦ回路部４１は、メインアンテナ４０によって受信した信号を復調処理し、処理後の信号を処理部４５に供給する。そして、処理部４５から供給された信号を変調処理し、メインアンテナ４０を介して外部装置（基地局）に送信する。また、その一方で、メインアンテナ４０によって受信している信号の強度を処理部４５に通知を行う。
【００２６】
ＬＣＤ制御部４２は、処理部４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００２７】
音声処理部４３は、処理部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２８】
また、音声処理部４３は、処理部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２９】
メモリ４４は、例えば、ワーキングメモリを含み、処理部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００３０】
処理部４５は、携帯電話装置１の全体を制御しており、中央処理装置（ＣＰＵ）等を用いて構成される。
【００３１】
このように構成される携帯電話装置１では、使用者による利便性を損なわず、予めマナーモード（着信の際に音等の出力を制限し、振動等によって着信を通知するモード）の開始時間及び終了時間を設定する機能を有している。当該機能によれば、予め設定されている時間に到達した場合において、原則的にはマナーモードに設定されるが、使用者による操作等が行われているときには、マナーモードが一時的に保留にされる。
【００３２】
ここで、上述した機能を発揮するための処理部４５の動作について説明する。処理部４５は、図１に示すように、制御部５１（制御手段）と、計時部５２（計時手段）と、モード設定部５３（モード設定手段）と、判別部５４（判別手段）とを備える。
【００３３】
制御部５１は、待受状態の制御を含む複数のアプリケーションの実行を制御する。計時部５２は、内部クロック又は基地局から取得した時間情報に基づいて現在の時刻を計測する。モード設定部５３は、使用者の操作に応じて、計時部５２により計測される時刻に基づいて、指定された時刻が到来したときに、着信を通知する際のモードを通常モードからマナーモードに切り替え設定を行う。判別部５４は、待受状態の制御を行うアプリケーション（以下、待受アプリという。）のみが実行されているか否かを判別する。
【００３４】
ここで、モード設定部５３により指定された時刻が到来したときに、通常モードからマナーモードに切り替えるように設定がされている場合を想定すると、判別部５４は、計時部５２により計測されている時刻に基づいて、指定された時刻が到来した場合、待受アプリのみが実行されているか否かを判別する。また、制御部５１は、判別部５４により待受アプリのみが実行されていると判別された場合、すなわち他のアプリケーションが実行されていない場合、通常モードからマナーモードに切り替えるように制御する。また、制御部５１は、判別部５４により待受アプリのみの実行ではないと判別された場合、すなわち他のアプリケーション（音楽を再生するアプリケーション等）が実行されている場合、通常モードからマナーモードへの切り替えを行わないように制御する。
【００３５】
したがって、携帯電話装置１では、例えば、通勤時間に該当する午前８時〜午前９時までの間をマナーモードに設定した場合、待受アプリのみが実行されているときには午前８時になったときに通常モードからマナーモードに切り替えられ、午前９時になったときにマナーモードから通常モードに切り替えられるが、午前８時になったときに、待受アプリ以外のアプリケーション（例えば、音楽の再生アプリケーション）が実行されているときには、実行されているアプリケーションに影響を与えないようにするために、通常モードからマナーモードに切り替えない。
【００３６】
このような構成によれば、携帯電話装置１では、使用者による操作状況等を考慮しつつ、マナーモードの設定の開始及び停止機能を有効に活用することができる。
【００３７】
また、判別部５４は、待受状態の制御を行う以外のアプリケーションが実行され、当該アプリケーションを終了させずに常駐させてある状態の場合には、待受アプリのみの実行ではないと判別することが好ましい。
【００３８】
すなわち、判別部５４は、ＬＣＤ表示部２１に待受アプリのみが実行されているときに表示される画面（以下、待受画面という。）が表示されているが、バックグラウンドで他のアプリケーション（例えば、音楽の再生アプリケーション）が実行されている場合、待受アプリのみではないと判別する。したがって、制御部５１は、判別部５４により待受アプリのみの実行ではないと判別され、通常モードからマナーモードへの切り替えを行わないように制御する。
【００３９】
このような構成によれば、携帯電話装置１では、ＬＣＤ表示部２１の表示状態に関わらず、使用者による操作状況等を考慮しつつ、マナーモードの設定の開始及び停止機能を有効に活用することができる。
【００４０】
また、制御部５１は、判別部５４により待受状態の制御を行うアプリケーションのみの実行ではないと判別された場合、通常モードからマナーモードへの切り替えを行わず、当該切り替え動作を保留になるように制御することが好ましい。
【００４１】
また、制御部５１は、通常モードからマナーモードへの切り替え動作を保留にする制御を待受アプリ以外のアプリケーションの実行が終了するまで継続させることが好ましい。
【００４２】
また、制御部５１は、通常モードからマナーモードへの切り替え動作を保留にする制御を行っているときに、判別部５４により待受アプリ以外のアプリケーションの実行が終了し、待受アプリのみが実行されていると判別された場合、通常モードからマナーモードに切り替えるように制御する。
【００４３】
このような構成によれば、携帯電話装置１では、通常モードからマナーモードへの切り替えを行わなかった場合、通常モードからマナーモードへ切り替える設定を破棄せずに、その後、待受アプリのみの実行になったタイミングでマナーモードに切り替えられるので、使用者による操作状況等を考慮しつつ、マナーモードの設定の開始及び停止機能を有効に活用することができる。なお、携帯電話装置１は、マナーモードへの切り替えを保留しているときに、マナーモードの終了時間を過ぎた場合には、その後に待受アプリのみが実行されている状態になってもマナーモードへの切り替えは行わない。
【００４４】
また、処理部４５は、通常モードからマナーモードに切り替えるモード切替部５５（モード切替手段）を備える。このような構成によれば、制御部５１は、通常モードからマナーモードへの切り替え動作を保留にする制御を行っているときに、判別部５４により待受アプリ以外のアプリケーションの実行が終了し、待受アプリのみが実行されていると判別され、モード切替部５５により通常モードからマナーモードに切り替えられた場合、当該保留にする制御を解除し、モード設定部５３による設定を無効にする。
【００４５】
つまり、携帯電話装置１は、マナーモードへの切り替えを保留しているときに、使用者によるマナーモードへの切り替え操作が行われたときには、予約されていた切り替え制御を無効にするので、モードの切り替えによる競合を回避することができ、円滑な処理を行うことができる。
【００４６】
ここで、携帯電話装置１の処理部４５によるマナーモードへの切り替える手順について、図４に示すフローチャートを参照しながら説明する。なお、以下では、予め所定の時間に到達したときに通常モードからマナーモードに切り替えられる設定になっているものとする。また、待受アプリ以外の他のアプリケーションは、音楽の再生アプリケーションであるとする。
【００４７】
ステップＳ１において、処理部４５は、待受アプリを起動する。処理部４５は、主電源の投入後、所定のシークエンスを経て待受アプリを起動する。
【００４８】
ステップＳ２において、処理部４５は、時刻更新のイベントが到来したら、時刻の更新を行う。具体的には、ＬＣＤ表示部２１に表示されている待受画面に時計表示がされている場合には、当該時計表示を更新する。
【００４９】
ステップＳ３において、処理部４５は、計時部５２によって計測される時刻に基づいて、設定されている時間に到達したか否かを判断する。設定されている時間に到達したと判断した場合（Ｙｅｓ）には、ステップＳ４に進み、設定されている時間にまだ到達していないと判断した場合には、処理を終了する。なお、処理部４５は、設定されている時間にまだ到達していないと判断した場合には、ステップＳ３の判断を一定周期で繰り返す構成であっても良い。
【００５０】
ステップＳ４において、処理部４５は、ＬＣＤ表示部２１に待受画面が表示されているか否かを判断する。ＬＣＤ表示部２１に待受画面が表示されていると判断した場合（Ｙｅｓ）には、ステップＳ５に進み、ＬＣＤ表示部２１に待受画面が表示されていないと判断した場合（Ｎｏ）には、ステップＳ６に進む。
【００５１】
ステップＳ５において、処理部４５は、待受アプリ以外のアプリケーションがバックグラウンドで実行されているか否かを判断する。待受アプリ以外のアプリケーションがバックグラウンドで実行されていると判断した場合（Ｙｅｓ）には、ステップＳ６に進み、待受アプリ以外のアプリケーションがバックグラウンドで実行されていないと判断した場合（Ｎｏ）には、ステップＳ７に進む。
【００５２】
ステップＳ６において、処理部４５は、マナーモードへの切り替え制御を保留にする。
【００５３】
ステップＳ７において、処理部４５は、通常モードからマナーモードへ切り替えを行う。
【００５４】
このようにして、携帯電話装置１では、通常モードからマナーモードへの切り替える時刻に達した場合において、待受アプリ以外のアプリケーションがＬＣＤ表示部２１上、又はバックグラウンドにおいて実行されているときには、マナーモードへの切り替えを保留にするので、使用者による操作状況等を考慮しつつ、マナーモードの設定の開始及び停止機能を有効に活用することができる。
【００５５】
また、携帯電話装置１の処理部４５によるマナーモードへの切り替えが保留になっている状態における設定モードの遷移について、図５に示すフローチャートを参照しながら説明する。なお、待受アプリ以外の他のアプリケーションは、音楽の再生アプリケーションであるとする。
【００５６】
ステップＳ１１において、処理部４５は、待受画面をＬＣＤ表示部２１に描画する。
【００５７】
ステップＳ１２において、処理部４５は、マナーモードへの切り替えを保留状態にしているか否かを判断する。マナーモードへの切り替えを保留状態にしていると判断した場合（Ｙｅｓ）には、ステップＳ１３に進み、マナーモードへの切り替えを保留状態にしていないと判断した場合（Ｎｏ）には、処理を終了する。
【００５８】
ステップＳ１３において、処理部４５は、バックグラウンドで他のアプリケーションが起動しているか否かを判断する。バックグラウンドで他のアプリケーションが起動していると判断した場合（Ｙｅｓ）には、ステップＳ１４に進み、バックグラウンドで他のアプリケーションが起動していないと判断した場合（Ｎｏ）には、ステップＳ１５に進む。
【００５９】
ステップＳ１４において、処理部４５は、マナーモードへの切り替えの保留状態を継続する。
【００６０】
ステップＳ１５において、処理部４５は、マナーモードへの切り替えの保留状態を解除して、通常モードからマナーモードへ切り替えを行う。
【００６１】
このようにして、携帯電話装置１では、マナーモードへの切り替えを保留状態にしている場合に、待受アプリのみが実行されている状態になったときに、当該保留状態を解除して、通常モードからマナーモードへ切り替えるので、使用者による操作状況等を考慮しつつ、マナーモードの設定の開始及び停止機能を有効に活用することができる。なお、携帯電話装置１は、マナーモードへの切り替えを保留しているときに、マナーモードの終了時間を過ぎた場合には、その後に待受アプリのみが実行されている状態になってもマナーモードへの切り替えは行わない。
【００６２】
＜第２の実施の形態＞
つぎに、本発明の第２の実施の形態について説明する。なお、第２の実施の形態として備える構成要件は、上述した第１の実施の形態と同様であるので、適用可能な部分については図面及び説明を省略する。
【００６３】
ここで、第２の実施の形態に係る携帯電話装置１の処理部４５によるマナーモードへの切り替える手順について、図６に示すフローチャートを参照しながら説明する。なお、以下では、予め所定の時間に到達したときに通常モードからマナーモードに切り替えられる設定になっているものとする。
【００６４】
また、通常モードからマナーモードに切り替えた場合に、その前後でアプリケーションの実行内容に変更が生じるような当該アプリケーションとは、音声部からの音声出力に関する変更を伴うアプリケーションが含まれる。すなわち、通常モードでは、音声出力を通常通り行うのに対し、マナーモードに切り替わると、音声出力の程度を弱めたり或いは停止したりすることが行われるような変更を伴うアプリケーション、例えば、音楽の再生アプリケーションであるとする。
【００６５】
ステップＳ５１において、処理部４５は、待受アプリを起動する。処理部４５は、主電源の投入後、所定のシークエンス（処理）を経て待受アプリを起動する。
【００６６】
ステップＳ５２において、処理部４５は、時刻更新のイベントが到来したら、時刻の更新を行う。具体的には、処理部４５は、ＬＣＤ表示部２１に表示されている待受画面に時計表示がされている場合には、当該時計表示を更新する。
【００６７】
ステップＳ５３において、処理部４５は、計時部５２によって計測される時刻に基づいて、設定されている時間に到達したか否かを判断する。設定されている時間に到達したと判断した場合（Ｙｅｓ）には、ステップＳ５４に進み、設定されている時間にまだ到達していないと判断した場合（Ｎｏ）には、処理を終了する。なお、処理部４５は、設定されている時間にまだ到達していないと判断した場合（Ｎｏ）には、ステップＳ５３の判断を一定周期で繰り返す構成であっても良い。
【００６８】
ステップＳ５４において、処理部４５は、ＬＣＤ表示部２１に待受画面が表示されているか否かを判断する。ＬＣＤ表示部２１に待受画面が表示されていると判断した場合（Ｙｅｓ）には、ステップＳ５５に進み、ＬＣＤ表示部２１に待受画面が表示されていないと判断した場合（Ｎｏ）には、ステップＳ５６に進む。
【００６９】
ステップＳ５５において、処理部４５は、通常モードからマナーモードに切り替えた場合に、その前後でアプリケーションの実行内容に変更が生じるような当該アプリケーションが実行されているか否かを判断する。当該アプリケーションが実行されていると判断した場合（Ｙｅｓ）には、ステップＳ５６に進み、待受アプリ以外のアプリケーションがバックグラウンドで実行されていないと判断した場合（Ｎｏ）には、ステップＳ５７に進む。
【００７０】
ステップＳ５６において、処理部４５は、マナーモードへの切り替え制御を保留にする。
【００７１】
ステップＳ５７において、処理部４５は、通常モードからマナーモードへ切り替えを行う。
【００７２】
このようにして、携帯電話装置１では、通常モードからマナーモードへの切り替える時刻に達した場合において、通常モードからマナーモードに切り替えた場合に、その前後でアプリケーションの実行内容に変更が生じるような当該アプリケーションが実行されているときには、マナーモードへの切り替えを保留にするので、使用者による操作状況等を考慮しつつ、マナーモードの設定の開始及び停止機能を有効に活用することができる。
【００７３】
また、携帯電話装置１の処理部４５によるマナーモードへの切り替えが保留になっている状態における設定モードの遷移について、図７に示すフローチャートを参照しながら説明する。
【００７４】
ステップＳ６１において、処理部４５は、待受画面をＬＣＤ表示部２１に描画する。
【００７５】
ステップＳ６２において、処理部４５は、マナーモードへの切り替えを保留状態にしているか否かを判断する。マナーモードへの切り替えを保留状態にしていると判断した場合（Ｙｅｓ）には、ステップＳ６３に進み、マナーモードへの切り替えを保留状態にしていないと判断した場合（Ｎｏ）には、処理を終了する。
【００７６】
ステップＳ６３において、処理部４５は、通常モードからマナーモードに切り替えた場合に、その前後でアプリケーションの実行内容に変更が生じるような当該アプリケーションが起動されているか否かを判断する。バックグラウンドで当該アプリケーションが起動していると判断した場合（Ｙｅｓ）には、ステップＳ６４に進み、バックグラウンドで他のアプリケーションが起動していないと判断した場合（Ｎｏ）には、ステップＳ６５に進む。
【００７７】
ステップＳ６４において、処理部４５は、マナーモードへの切り替えの保留状態を継続する。
【００７８】
ステップＳ６５において、処理部４５は、マナーモードへの切り替えの保留状態を解除して、通常モードからマナーモードへ切り替えを行う。
【００７９】
このようにして、携帯電話装置１では、マナーモードへの切り替えを保留状態にしている場合に、通常モードからマナーモードに切り替えた場合に、その前後でアプリケーションの実行内容に変更が生じるような当該アプリケーションが起動されていない状態になったときに、当該保留状態を解除して、通常モードからマナーモードへ切り替えるので、使用者による操作状況等を考慮しつつ、マナーモードの設定の開始及び停止機能を有効に活用することができる。なお、携帯電話装置１は、マナーモードへの切り替えを保留しているときに、マナーモードの終了時間を過ぎた場合には、その後に待受アプリのみが実行されている状態になってもマナーモードへの切り替えは行わない。
【００８０】
また、本実施例においては、待受アプリ以外のアプリケーションとして音楽の再生アプリケーションを示したが、これに限られず、映像の再生アプリケーション等であっても良い。
【図面の簡単な説明】
【００８１】
【図１】携帯電話装置の外観斜視図である。
【図２】携帯電話装置を折畳んだ状態の斜視図である。
【図３】携帯電話装置の機能を示す機能ブロック図である。
【図４】第１の実施の形態にかかる携帯電話装置の処理部によるマナーモードへの切り替える手順についての説明に供するフローチャートである。
【図５】第１の実施の形態にかかる携帯電話装置の処理部によるマナーモードへの切り替えが保留になっている状態における設定モードの遷移についての説明に供するフローチャートである。
【図６】第２の実施の形態にかかる携帯電話装置の処理部によるマナーモードへの切り替える手順についての説明に供するフローチャートである。
【図７】第２の実施の形態にかかる携帯電話装置の処理部によるマナーモードへの切り替えが保留になっている状態における設定モードの遷移についての説明に供するフローチャートである。
【符号の説明】
【００８２】
１  携帯電話装置
５１  制御部（制御手段）
５２  計時部（計時手段）
５３  モード設定部（モード設定手段）
５４  判別部（判別手段）
５５  モード切替部（モード切替手段）
【図１】
2010109616.tif 000003
【図２】
2010109616.tif 000004
【図３】
2010109616.tif 000005
【図４】
2010109616.tif 000006
【図５】
2010109616.tif 000007
【図６】
2010109616.tif 000008
【図７】
2010109616.tif 000009